(57)【特許請求の範囲】
【請求項１】
前側に吸入口が設けられたハウジングと、
複数回用量分の微粉末状薬剤を収容する供給体と、
前記供給体と前記吸入口との間を前後方向に往復動して、前記供給体の微粉末状薬剤の一回用量分を前記吸入口に向けて搬送する薬剤搬送体と、
前記ハウジングに前側から被せられる保護キャップと、
前後に往復動して前記薬剤搬送体を操作する操作体と、
を備えた粉末吸入器において、
前記操作体を前記ハウジングに後側から被せられるキャップ状に形成し、
前記ハウジングの後側に操作用の開口部を設け、
前記開口部に挿通される連結体によって前記操作体と前記薬剤搬送体とを連結し、
前記保護キャップを前記ハウジングに被せたときには、該保護キャップの後端と前記操作体の前端とが合致して前記ハウジングを包むようにしたことを特徴とする粉末吸入器。
【請求項２】
前記ハウジングと前記操作体との間に形成される隙間に空気の流入を阻止するバッフルを配設したことを特徴とする請求項１に記載の粉末吸入器。
【請求項３】
前記操作体の前端及び前記保護キャップの後端の少なくとも一方にシール材を取り付け、該シール材を介して前記保護キャップと前記操作体とを接合することを特徴とする請求項１又は２に記載の粉末吸入器。
【発明の詳細な説明】
【０００１】
【発明の属する技術分野】
本発明は、多回数用量の微粉末状薬剤を投与することができる粉末吸入器に関する。
【０００２】
【従来の技術】
この種の粉末吸入器は、多回数用量分の微粉末状薬剤を収容する供給体と、一回分の用量に対応する容積の計量孔を有する薬剤搬送体と、該薬剤搬送体を操作する操作体とを備えている。
【０００３】
そして、微粉末状薬剤を吸入する場合には、操作体によって前記薬剤搬送体を操作して前記計量孔内に充填された前記微粉末状薬剤を吸入口に向けて搬送するようになっている（例えば、特許文献１参照。）。
【０００４】
ところで、従来の粉末吸入器の供給体や薬剤搬送体等はハウジング内に収容されているが、操作体は使用者が手動操作をする関係上、ハウジングの開口部から外部に突出しているので、操作体と開口部との間には隙間が形成され、該隙間から外部空気が侵入して薬剤が湿気を帯びるという問題があった。
【０００５】
そこで、粉末吸入器を防湿ケースに収納して携帯することが考えられるが、使用の度に粉末吸入器を防湿ケースから取り出さなければならず、微粉末状薬剤を吸入するまでに時間を要するという問題があり、また、粉末吸入器を該粉末吸入器よりも一回り大きな防湿ケースに入れることによって携帯性が低下するという問題があった。
【０００６】
【特許文献１】
特開平５―２３７１８９号公報（全頁、全図）
【０００７】
【発明が解決しようとする課題】
本発明は、防湿専用ケースを用いなくても高い防湿効果が得られる粉末吸入器を提供するものである。
【０００８】
【課題を解決するための手段】
本発明の粉末吸入器は、前側に吸入口が設けられたハウジングと、複数回用量分の微粉末状薬剤を収容する供給体と、前記供給体と前記吸入口との間を前後方向に往復動して、前記供給体の微粉末状薬剤の一回用量分を前記吸入口に向けて搬送する薬剤搬送体と、前記ハウジングの前部に被せられる保護キャップと、
前記薬剤搬送体を操作する操作体と、を備えた粉末吸入器において、前記ハウジングの後側に開口部を設け、前記操作体をキャップ状に形成すると共に、前記操作体を前後に往復動自在にして前記ハウジングの後部に被せ、前記開口部に挿通される連結体によって前記操作体と前記薬剤搬送体とを連結し、前記保護キャップを前記ハウジングに被せたときには、該保護キャップの後端と前記操作体の前端とが合致して前記ハウジングを包むようにしたことを特徴とする。
【０００９】
また、前記ハウジングと前記操作体との間に形成される隙間に空気の流入を阻止するバッフルを配設するのが望ましい。
【００１０】
また、前記操作体の前端及び前記保護キャップの後端の少なくとも一方にシール材を取り付け、該シール材を介して前記保護キャップと前記操作体とを接合するのが望ましい。
【００１１】
【発明の実施の形態】
以下、本発明の実施の形態について図面を参照して説明する。
【００１２】
図１は粉末吸入器の斜視図、図２は粉末吸入器の縦断面図である。粉末吸入器は、ハウジング本体１及びマウスピース２を備えたハウジング１Ａと、保護キャップ１ｃと、多回数用量の微粉末状薬剤を収容する供給体３と、一回分の用量の微粉末状薬剤を搬送する薬剤搬送体４と、薬剤搬送体４を操作する操作体５Ａと、薬剤搬送体４及び操作体５Ａを連結する連結体５と、連結体５を介して操作体５Ａをロックするロック体６と、ベース体７と、投薬回数を表示するカウンタ８とを備えている。
【００１３】
図２のようにハウジング本体１は、上側ハウジング本体１ａと下側ハウジング本体１ｂとを備え、前記ハウジング本体１の後端には連結体５を挿通するための操作用の開口部１０Ａが設けられている。
【００１４】
上側ハウジング本体１ａ及び下側ハウジング本体１ｂは、図外の係止爪及び係止溝によっていわゆるパッチン式で接合される。図１及び図１４のように上側ハウジング本体１ａの前側の中央及び左右両側には横長スリット状の空気取入口１ｉが設けられ、カウンタ８の取付け位置に対応する部位にはカウンタ８の状態を読み取るための窓１ｊが設けられている。図１０のように下側ハウジング本体１ｂの内面側には、連結体５をガイドするための突条部１ｌ及びガイド軸１ｍと、突脈部１ｎで囲繞されるロック体６を収容する収納部１ｔと、該収納部１ｔ内に形成されるロック体６の枢支軸１ｐと、ばね係止突起１ｑと、ベース受け台１ｒと、嵌合突起１ｓとがそれぞれ形成されている。
【００１５】
図２のようにマウスピース２は、本体部２ａとカバー部２ｂとで構成され、本体部２ａには微粉末状薬剤を分散させる薬剤吸入流路２ｃが形成され、本体部２ａの外周部には嵌合溝２ｅが形成され、カバー部２ｂには粉末状薬剤を自力で吸入するための吸入口２ｆが設けられている。
【００１６】
図２及び図８のように供給体３は、約２００回分の服用量の微粉末状薬剤を収容するホッパー３ａを備え、該ホッパー３ａの下端には薬剤排出孔３ｂが設けられ、供給体３のホッパー３ａの上端側の開口部３ｃは微粉末状薬剤を湿気から保護する蓋３ｄにて閉塞され、ホッパー３ａの外壁面には空気吸引溝３２が形成されている。また、供給体３には貫通孔３ｆが形成され、カウンタ８を位置決めするための位置決めピン３ｈを有するカバー３ｅが設けられている。更に、後述する薬剤搬送体４の計量孔４ｃの周囲部との接触面積を少なくするために、薬剤排出孔３ｂの周縁部及び薬剤搬送体４の摺動部４ｅに対応する部位には肉厚部３ｇが形成され、薬剤搬送体４は該肉厚部３ｇの下面にのみ接触するようになっている。
【００１７】
図１及び図２のように保護キャップ１ｃは、マウスピース２及びハウジング本体１ａの前部を覆う大きさに設定され、後端にはエラストマー等で形成されたシール材１１ｃが取り付けられている。
【００１８】
連結体５は、ハウジング本体１に平行往復動自在に配設され、図１６のように操作ばね（コイルばね）５１によってハウジング本体１の開口部１０Ａから後方に突出する方向にばね付勢されている。連結体５は図３のようにガイド板５ａを備え、該ガイド板５ａには薬剤搬送体４の係止用長孔５ｂ、ガイド用長孔５ｃ、及び下側ハウジング本体１ｂのばね係止突起１ｑを挿通するための挿通用長孔５ｄが設けられ、ガイド板５ａの下面側には係合ピン５ｅが設けられている。連結体５からは操作ばね５１を取り付けるためのばね取付軸５ｆが突設されている。また、ガイド板５ａの後端には操作体５Ａを取り付けるためにＬ字状の取付部５ｇが形成され、取付部５ｇには嵌合孔５ｈが穿設され、取付部５ｇの左右両側のは係止用弾性片５ｉが形成されている。
【００１９】
操作体５Ａは、キャップ状に形成され、図２及び図１３のようにハウジング本体１の後部に被せて開口部１０Ａを覆うと共にハウジング本体の後部に前後方向に往復動自在に配設され、操作体５Ａとハウジング本体１との間には僅かな隙間１０Ｂが形成されている。ハウジング本体の後部外周には全周にわたってバッフル１０Ｃが形成され、該バッフル１０Ｃによって隙間１０Ｂから開口部１０Ａを通ってハウジング本体１内に外気が流入するのを阻止する。また、操作体５Ａがハウジング本体１の後部に被さっているので、隙間１０Ｂの入口からハウジング本体１Ａ内の粉末状薬剤に至るまでの外気の流入経路が長くなり、外気が流入し難くなっている。また、操作体５Ａの後部裏面側には嵌合突起５１Ａ及係止突起５２Ａが形成され、嵌合突起５１Ａは連結体５の嵌合孔５ｈに嵌合され、係止突起５２Ａには連結体５の係止用弾性片５ｉが僅かに弾性変形した状態で係止されるようになっている。
【００２０】
ロック体６には、図１０のようにガイド溝６ａ、第１切替部６ｂ、第２切替部６ｃ、上係合部６ｄ、下係合部６ｅ、枢支孔６ｆ及び弾性杆６ｇがそれぞれ形成されている。ロック体６は、下側ハウジング本体１ｂの収容部１ｔに収容され、枢支孔６ｆは収容部１ｔ内の枢支軸１ｐにはめ込まれるようになっている。また、ロック体６の上には連結体５が位置し、該連結体５の係合ピン５ｅはロック体６のガイド溝６ａ内に挿入されている。
【００２１】
かかるロック体６は、以下のように動作する。すなわち、操作体５Ａを介して連結体５を押し込むと、連結体５の係合ピン５ｅはロック体６の下係合部６ｅからガイド溝６ａを通って第１切替部６ｂに至る（図１６（ａ））。このとき、ロック体６は弾性杆６ｇの弾撥力に抗して揺動する。その後、操作体５Ａを解除すると、操作ばね５１の弾撥力により連結体５の係合ピン５ｅが上係合部６ｄに係合し、連結体５は押し込まれた状態でロックされる。次に、操作体５Ａを介して連結体５を再び押し込むと、ロック体６の弾性杆６ｇの弾性復元力により係合ピン５ｅは下係合部６ｅから解除されて第２切替部６ｃに至る（図１６（ｂ））。次に、操作体５Ａに対する押し込み力を解除すると、操作ばね５１の弾撥力により係合ピン５ｅはガイド溝６ａを通って下係合部６ｅに移動して操作体５Ａ及び連結体５は元の位置に復帰する（図１６（ａ））。なお、粉末吸入器全体の動作については後述する。
【００２２】
図４のように薬剤搬送体４は、一端部に軸孔４ａが形成され、他端部には係止ピン４ｂが設けられ、軸孔４ａと係止ピン４ｂとの中間部分には一回分の用量に対応する容積を有する球面凹状の有底の計量孔４ｃが形成されている。更に、薬剤搬送体４にはカウンタ８に係合した該カウンタ８を回転させるラチェット４ｄが形成されている。なお、計量孔４ｃは貫通孔であっても良い。
【００２３】
薬剤搬送体４の上面の一部は盛り上げられて平面視が円弧状の摺動部４ｅが形成され、摺動部４ｅの一端部に計量孔４ｃが位置している。これにより、計量孔４ｃが円弧状に移動した場合でも薬剤搬送体４の摺動部４ｅのみが供給体３の薬剤排出孔３ｂ周囲の肉厚部３ｇ下面と接触するようになっている。
【００２４】
薬剤搬送体４は、後述のようにベース体７の枢支ピン７ｉに揺動自在に枢支され、薬剤搬送体４の係止ピン４ｂは連結体５の係止用長孔５ｂに挿入されることにより薬剤搬送体４と連結体５とが係合する。
【００２５】
また、薬剤搬送体４は後述する押し上げ体９によって上方に弾性付勢されることにより、薬剤搬送体４の摺動部４ｅは供給体３の薬剤排出孔３ｂの周囲の肉厚部３ｇの下面と弾性的に接触するようになっている。これにより、薬剤搬送体４の摺動部４ｅとホッパー３ａの薬剤排出孔３ｂの周囲部との緊密度が増し、薬剤搬送体４の計量孔４ｃから微粉末状薬剤が漏れるのを防止している。
【００２６】
図３等で示ようにベース体７には、嵌合孔７ａ及びカウンタ支持軸７ｂが設けられ、このカウンタ支持軸７ｂの周囲にはカウンタ支持環７ｃが立設され、また、薬剤搬送体４が揺動して係止ピン４ｂが移動する範囲には切り欠き部７ｄが設けられている。
【００２７】
また、ベース体７には押し上げ体９の取付部７ｅが形成され、該取付部７ｅには嵌合孔７ｆを有するばね支持軸７ｇと固定ピン７ｈとが設けられている。一方、押し上げ体９の下面側には嵌合突起９ａと嵌合孔９ｂを有するボス部９ｃとが形成されている。そして、図６（ｂ）のようにベース体７の嵌合孔７ｈに押し上げ体９の嵌合突起９ｂを嵌合し、押し上げばね（コイルばね）１０が挿通されたベース体７のばね支持軸７ｇに押し上げ体９の嵌合突起９ａを嵌合することにより、押し上げ体９を上方にばね付勢している。また、押し上げ体９の取付部７ｅの近傍には枢支ピン７ｉが形成されている。
【００２８】
カウンタ８は、公知の構造のものであって、１の位のカム付き円盤８ａと１０の位のカム付きホイール８ｂとを備えている。カム付き円盤８ａはベース体７のカウンタ支持軸７ｂにより回転自在に支持され、カム付き円盤８ａにはカム付きホイール８ｂがはめ込まれると共にベース体７のカウンタ支持環７ｃにて支持されている。
【００２９】
そして、薬剤搬送体４の揺動によりラチェット４ｄによって１の位のカム付き円盤８ａは１の計数位置だけ回転し、投薬回数が１０回目でカム付きホイール８ｂが１の計数位置だけ回転し、カム付きホイール８ｂの最大目盛だけ投薬回数を表示する。
【００３０】
供給体３、薬剤搬送体４及び連結体５の材料にカーボン等の導電性フィラーを加えて導電性を付与し、静電気を漏洩させるようにしても良い。
【００３１】
なお、導電性を付与する部品は、供給体３、薬剤搬送体４及び連結体５には限定されない。
【００３２】
粉末吸入器の組み立ては次のようにして行われる。
【００３３】
まず、図１０のように下側ハウジング１ｂの収容部１ｔにロック体６を収容した後、図１１のように連結体５を下側ハウジング１ｂに取り付けてロック体６の上に位置させる。このとき、連結体５のガイド用長孔５ｃ内に下側ハウジング１ｂのガイド軸１ｍを挿通し、連結体５の挿通用長孔５ｄに下側ハウジング１ｂのばね係止突起１ｑを挿通する。また、連結体５のばね取付軸５ｆに操作ばね５１をその一端側から挿通し、該操作ばね５１の他端側を下側ハウジング１ｂのばね係止突起１ｑに係止する。
【００３４】
次に、図１２のようにベース体７を下側ハウジング１ｂのベース受け台１ｒに載置し、ベース体７の嵌合孔７ａを下側ハウジング１ｂの嵌合突起１ｓに嵌合してベース体７を位置決めする。その後、上述のようにしてベース体７に押し上げ体９を装着した後、ベース体７及び押し上げ体９の上に薬剤搬送体４を重ねる。このとき、薬剤搬送体４の枢支孔４ｃとベース体７の枢支ピン７ｉと合致させ、薬剤搬送体４の係止ピン４ｂを連結体５の係止用長孔５ｂに挿入して薬剤搬送体４を連結体５に係合する。
【００３５】
また、上述のようにしてカウンタ８をベース体７に装着し、下側ハウジング１ｂの挟持用突起にマウスピース２の嵌合溝２ｅを嵌合する。
【００３６】
そして、図２のように薬剤搬送体４の上に供給体３を位置させ、ベース体７の枢支ピン７ｉに供給体３の貫通孔３ｆ及び薬剤搬送体４の枢支孔４ａを挿通して薬剤搬送体４を揺動自在に枢支し、供給体３のカバー３ｅでカウンタ８を位置決めする。
【００３７】
次に、下側ハウジング１ｂに上側ハウジング１ａを接合することにより、上側ハウジング１ａの内面側に形成された位置決め部によって供給体３を位置決めすると共に、上側ハウジング１ａの挟持用突起１ｇをマウスピース２の嵌合溝２ｅに嵌合し、マウスピース２の本体部２ａにカバー部２ｂを嵌合する。
【００３８】
また、図１２のように操作体５Ａをハウジング本体１の後部に被せ、嵌合突起５１Ａを連結体５の取付部５ｇの嵌合孔５ｈに嵌合する。なお、図１２は供給体３等を省略している。
【００３９】
このように構成される粉末吸入器は、以下の動作をする。
【００４０】
まず、図２のように保護キャップ１ｃを取り付けた状態では、薬剤搬送体４は該薬剤搬送体４の計量孔４ｃが供給体３の薬剤排出孔３ｂと合致する薬剤充填位置に位置する。
【００４１】
次に、図１３乃至図１５のように保護キャップ１ｃを取り外した後、ハウジング１Ａを保持しながら、２点鎖線で示すように操作体５Ａを押し込んで連結体５をロックすると、薬剤搬送体４が揺動して計量孔４ｃは薬剤充填位置からホッパー３ａの空気吸引溝３２近傍の空間内へ移動する。
【００４２】
このとき、計量孔４ｃ内に充填された微粉末状薬剤は薬剤排出孔３ｂの周囲の肉厚部３ｇによってすり切られ、一回分の用量の微粉末状薬剤が空気吸引溝３２の近傍の空間まで搬送される。
【００４３】
次に、患者の吸気圧でマウスピース２の吸入口２ｆからハウジング本体１内の空気を吸引すると、ハウジング本体１内は負圧になり、図１３の矢印のように外部の空気がハウジング本体１の空気取入口１ｉからハウジング本体１内に吸引され、マウスピース２の空気吸引溝３２を通ってマウスピース２の薬剤吸入流路２ｃに至る。これにより、薬剤搬送体４の計量孔４ｃ内に充填された微粉末状薬剤に空気衝撃が加わって該微粉末状薬剤がマウスピース２の薬剤吸入流路２ｃ内に飛散し、吸引された空気と共に吸入口２ｆを通って患者の肺器官内に至る。
【００４４】
次に、ハウジング１Ａを保持しながら操作体５Ａを再度押し込んで元の位置に復帰させることにより、薬剤搬送体４がスイングバックして計量孔４ｃは供給体３の薬剤排出孔３ｂの下方に位置する薬剤充填位置まで戻る。
【００４５】
図１４（ｂ）のように使用者が操作体５Ａを押し込んだときには、カウンタ８を読み取る窓１ｊは操作体５Ａによって覆われ、カウンタ８の投薬回数表示が切り替わる状態は使用者の目に止まることがない。これにより窓１ｊには常に切り替わった後のカウンタ８のみが表示され、使用者に投薬回数に関して誤解を与えるような情報が表示されることがなくなる。
【００４６】
図２のように使用しないとき（携帯時など）には、保護キャップ１ｃをハウジング１Ａの前部に被せることによって保護キャップ１ｃの後端と操作体５Ａの前端とをシール材１１ｃを介して合致させてハウジング１Ａ全体を包む。
【００４７】
なお、ホッパー３ａ内の微粉末状薬剤を使い切れば、粉末吸入器は廃棄される。
【００４８】
また、粉末吸入器の防湿性を高めるために、粉末吸入器の内部をタブレット状の乾燥薬剤の装着をする構成にしても良い。
【００４９】
また、キャップ状操作体５Ａ及び保護キャップ１ｃには、その目的から、高密度ポリエチレン、ポリプロピレン等の透湿度の低い材質のものを用いるのが好ましく、該材質を採用した場合には、必ずしもシール材１１ｃを用いる必要はない。
【００５０】
【発明の効果】
本発明の粉末吸入器によれば、ハウジングの後側に操作用の開口部を設け、操作体をキャップ状に形成すると共に、操作体を前後に往復動自在にしてハウジングの後部に被せ、開口部に挿通される連結体によって操作体と薬剤搬送体とを連結し、保護キャップをハウジングに被せたときには、保護キャップの後端と操作体の前端とが合致してハウジングを包むようにしたので、粉末吸入器の構成部品（操作体）を防湿ケースとして利用することにより高い防湿効果が得られる。この結果、粉末吸入器を防湿専用ケースから出し入れする手間が省け、携帯性も向上させることができる。
【００５１】
また、操作体とハウジングとの間に隙間が形成されてハウジング内に至るまでの外気の流入経路が長くなるので、保護キャップをハウジングから取り外したときでも外気がハウジング内に流入し難くなり、防湿性能が低下するのを防止できる。
【００５２】
また、保護キャップをハウジングに取り付けたときには、ハウジングを保持しながら操作体を押し込むことができなくなるので、保護キャップによって操作体がロックされることになり、誤動作も防止できる。
【００５３】
更に、ハウジングと操作体との間に形成される隙間に空気流入を阻止するバッフルを配設すれば、使用時の防湿効果を更に向上させることができる。
【００５４】
また、前記操作体の後端及び前記保護キャップの前端の少なくとも一方にシール材を取り付け、該シール材を介して前記保護キャップと前記操作体とを接合すれば、不使用時の防湿効果を更に高めることができる。
【図面の簡単な説明】
【図１】本発明の実施形態の粉末吸入器を示す斜視図である。
【図２】同粉末吸入器の縦断面図である。
【図３】同粉末吸入器の連結体の平面図である。
【図４】同粉末吸入器のベース体の平面図である。
【図５】（ａ）は同粉末吸入器の薬剤搬送体の平面図、（ｂ）は同薬剤搬送体の側面図である。
【図６】（ａ）は同粉末吸入器の押し上げ体の平面図、（ｂ）はベース体への押し上げ体の取付状態を示す断面図である。
【図７】同粉末吸入器のカウンタを示す平面図である。
【図８】（ａ）は同粉末吸入器の供給体の平面図、（ｂ）は同供給体の底面図である。
【図９】（ａ）は同粉末吸入器のマウスピースの平面図、（ｂ）は同マウスピースの側面図である。
【図１０】同粉末吸入器の組立順序を示す平面図である。
【図１１】同粉末吸入器の組立順序を示す平面図である。
【図１２】同粉末吸入器の組立順序を示す平面図である。
【図１３】同粉末吸入器による吸入動作を示す縦断面図である。
【図１４】（ａ）は同粉末吸入器の動作前の状態を示す平面図、（ｂ）は同粉末吸入器の動作後の状態を示す平面図である。
【図１５】（ａ）は同粉末吸入器の動作前の状態を示す平断面図、（ｂ）は同粉末吸入器の動作後の状態を示す平断面図である。
【図１６】同粉末吸入器の操作体のロック動作を示す平面図である。
【符号の説明】
１      ハウジング本体
１Ａ    ハウジング
１ｃ    保護キャップ
２      マウスピース
３      供給体
４      薬剤搬送体
５      連結体
５Ａ    操作体
１０Ｃ  バッフル
１１ｃ  シール材
【要約】【課題】防湿専用ケースを用いなくても高い防湿効果が得られる粉末吸入器を提供するものである。
【解決手段】前側に吸入口が設けられたハウジングと、複数回用量分の微粉末状薬剤を収容する供給体と、前記供給体と前記吸入口との間を前後方向に往復動して、前記供給体の微粉末状薬剤の一回用量分を前記吸入口に向けて搬送する薬剤搬送体と、前記ハウジングの前部に被せられる保護キャップと、
前記薬剤搬送体を操作する操作体と、を備えた粉末吸入器において、前記ハウジングの後側に開口部を設け、前記操作体をキャップ状に形成すると共に、前記操作体を前後に往復動自在にして前記ハウジングの後部に被せ、前記開口部に挿通される連結体によって前記操作体と前記薬剤搬送体とを連結し、前記保護キャップを前記ハウジングに被せたときには、該保護キャップの後端と前記操作体の前端とが合致して前記ハウジングを包むようにしたことを特徴とする。
【選択図】    図２【図１】
0003590848.tif 000002
【図２】
0003590848.tif 000003
【図３】
0003590848.tif 000004
【図４】
0003590848.tif 000005
【図５】
0003590848.tif 000006
【図６】
0003590848.tif 000007
【図７】
0003590848.tif 000008
【図８】
0003590848.tif 000009
【図９】
0003590848.tif 000010
【図１０】
0003590848.tif 000011
【図１１】
0003590848.tif 000012
【図１２】
0003590848.tif 000013
【図１３】
0003590848.tif 000014
【図１４】
0003590848.tif 000015
【図１５】
0003590848.tif 000016
【図１６】
0003590848.tif 000017